(57)【要約】      （修正有）【課題】近接して立設された複数の支柱に簡単に装着でき、作業負担を軽減できる上、各支柱を平行または所定角度交差させた状態で、長期間確実に保持することのできる保持具を提供すること。【解決手段】近接して平行若しくは交差する複数本の棒状部材を保持する保持具１であって、各棒状部材Ｐの外周面に嵌着される嵌着体４と、各嵌着体４を相対回動可能にする連結具と、前記嵌着体４に装着される装着具５とを備える。棒状部材Ｐに嵌着させた嵌着体４に装着具５を装着し、この装着具５を摺動させることにより、嵌着体をより強く棒状部材Ｐに嵌着させる締め付け手段を設けたことを特徴とするものである。【選択図】図１０
2006067905.tif 000002
【特許請求の範囲】
【請求項１】
近接して平行若しくは交差する複数本の棒状部材を保持する保持具であって、
各棒状部材の外周面に嵌着される嵌着体と、各嵌着体を相対回動可能にする連結具と、前記嵌着体に装着される装着具とを備え、
嵌着体と装着具の少なくともいずれか一方に、棒状部材に嵌着させた嵌着体に装着具を装着し、この装着具を摺動させることにより、嵌着体をより強く棒状部材に嵌着させる締め付け手段を設けたことを特徴とする保持具。
【請求項２】
嵌着体が略Ｃ形に形成され、その開口部の端縁部分に、当該端縁部分から外向きに広がる係合部が形成されているとともに、装着具の側縁部分には、前記係合部に相対移動可能に係合する被係合部が形成されており、
係合部と被係合部の少なくとも一方を、嵌着体に保持される棒状部材の軸心に対して傾斜状に形成し、装着具と嵌着体とを相対移動させることにより、嵌着体の口径を変化させるように締め付け手段を構成したことを特徴とする請求項１記載の保持具。
【発明の詳細な説明】
【技術分野】
【０００１】
本発明は、複数の支柱、特に農業用または園芸用の支柱を、近接して交差させた状態で保持する保持具に関するものである。
【背景技術】
【０００２】
従来、近接して交差する複数の支柱を連結させた状態で保持するものとして針金が使用されている。具体的には、地面に略垂直に立設させた支柱（以下、単に垂直支柱という）と、地面に対して所定角度傾斜させた状態で立設させた支柱（以下、単に傾斜支柱という）との交差部分に、針金を巻きつけて両支柱を連結保持する。しかしながら、針金を支柱にきつく巻きつけることが困難である上、支柱に対する接触面積が少ないため緩みやすく、長期間両支柱を確実に連結保持しにくい。また、支柱の連結箇所１つ１つに針金を巻きつける作業、針金を取り外す作業に多大な労力を要するため、作業者の負担が大きい。さらに、針金できつく縛ったものでは、微調整を行うことができないという問題もある。
【０００３】
そこで、上記問題を解消する保持具として、略Ｃ字状に形成された第１支柱装着部と第２支柱装着部とが、装着される方向が直交する状態で一体形成され、両支柱装着部の開口部の端縁部に、各装着部を締め付けるためのボルト挿通孔を有する締め付け用プレートを設け、この両プレート間に渡って挿入されたボルトを螺締することにより、支柱を保持するものが開示されている（例えば、特許文献１参照）。
【特許文献１】特開２００２−３５６８２１号公報
【発明の開示】
【発明が解決しようとする課題】
【０００４】
しかしながら、上記の保持具は、支柱装着部を支柱に取り付けるには、締め付け用プレートに穿設されたボルト挿通孔にボルトを挿通させ、ボルト先端部側からナットを嵌めてドライバー等で締め付けるという一連の煩雑な作業が必要である。そのため、支柱をしっかりと保持できるものの、支柱装着部の取り付け作業、取り外し作業の煩雑さは解消されておらず、多大な労力を要し、作業者の負担は大きい。一方、農作業の現場では、広大な土地に多数の農業用支柱を組み付けて設置するため、労力の軽減と作業時間の短縮が切望されている。また、農作業の現場では、栽培中の農作物を強風から防御するために、複数の支柱を所定間隔あけて立設させ、支柱間に防風ネット等を張ることがあるが、ネットの張力や風圧によって支柱が倒れると、農作物が全滅してしまうこともあり、支柱を確実に連結保持することは非常に重要な課題となっている。
【０００５】
本発明は、以上のような問題点に鑑みてなされたものであって、近接して立設された複数の支柱に簡単に装着でき、作業負担を軽減できる上、各支柱を平行または所定角度交差させた状態で、長期間確実に保持することのできる保持具を提供することを目的とするものである。
【課題を解決するための手段】
【０００６】
本発明の保持具は、
近接して平行若しくは交差する複数本の棒状部材を保持する保持具であって、各棒状部材の外周面に嵌着される嵌着体と、各嵌着体を相対回動可能にする連結具と、前記嵌着体に装着される装着具とを備え、嵌着体と装着具の少なくともいずれか一方に、棒状部材に嵌着させた嵌着体に装着具を装着し、この装着具を摺動させることにより、嵌着体をより強く棒状部材に嵌着させる締め付け手段を設けたことを特徴とするものである。
【０００７】
また、嵌着体が略Ｃ形に形成され、その開口部の端縁部分に、当該端縁部分から外向きに広がる係合部が形成されているとともに、装着具の側縁部分には、前記係合部に相対移動可能に係合する被係合部が形成されており、
係合部と被係合部の少なくとも一方を、嵌着体に保持される棒状部材の軸心に対して傾斜状に形成し、装着具と嵌着体とを相対移動させることにより、嵌着体の口径を変化させるように締め付け手段を構成したことを特徴とするものであってもよい。
【発明の効果】
【０００８】
請求項１記載の発明に係る保持具によれば、
近接して平行若しくは交差する複数本の棒状部材を保持する保持具であって、各棒状部材の外周面に嵌着される嵌着体と、各嵌着体を相対回動可能にする連結具と、前記嵌着体に装着される装着具とを備え、嵌着体と装着具の少なくともいずれか一方に、棒状部材に嵌着させた嵌着体に装着具を装着し、この装着具を摺動させることにより嵌着体をより強く棒状部材に嵌着させる締め付け手段を設けたので、
締め付け手段を構成する装着具を嵌着体に装着して摺動させるという簡単な作業をするだけで、嵌着体を締め付けて、嵌着体を棒状部材の外周面に強固且つ確実に嵌着させることができる。したがって、棒状部材に対する嵌着体の緩みが発生しにくく、各棒状部材を安全且つ確実に連結保持することができる。
【０００９】
請求項２記載の発明に係る保持具によれば、
嵌着体が略Ｃ形に形成され、その開口部の端縁部分に、当該端縁部分から外向きに広がる係合部が形成されているとともに、装着具の側縁部分には、前記係合部に相対移動可能に係合する被係合部が形成されており、係合部と被係合部の少なくとも一方を、嵌着体に保持される棒状部材の軸心に対して傾斜状に形成し、装着具と嵌着体とを相対移動させることにより、嵌着体の口径を変化させるように締め付け手段を構成したので、
装着具の被係合部を嵌着体の係合部に装着し、装着具を嵌着体に対して相対移動させるだけで、嵌着体の口径を変化させることができ、嵌着体の棒状部材に対する締め付け力を無段階かつ自在に変えることができる。したがって、嵌着体を締め付ける手間がかからず、誰でも簡単かつ確実に、保持具を棒状部材に取り付けることができる。また、締め付け手段の構成、すなわち嵌着体と装着具の形状および組み付け構造がシンプルであるので、操作性がよい上、美観にも優れる。さらに、製造コストを抑えることができるという利点もある。
【発明を実施するための最良の形態】
【００１０】
以下、本発明の一実施形態にかかる支柱保持具を図面に基づいて詳細に説明する。
【００１１】
図１，図２に示すように、本実施形態の支柱保持具１は、一対の支柱保持部２ａ，２ｂと、当該支柱保持部２ａ，２ｂを相対回動可能に連結する連結具３とを備えて構成されている。
支柱保持部２ａ，２ｂは、略同一の構成であるので、以下の説明においては、支柱保持部２ａについて説明し、支柱保持部２ｂについては、支柱保持部２ａとの共通部分を同一の符号を記載することにより詳細な説明を省略し、支柱保持部２ａと異なる部分についてのみ説明するものとする。
【００１２】
支柱保持部２ａは、金属製の農業用支柱に取り付けられる嵌着体４と、嵌着体４に着脱可能に装着される装着具５とを備えて構成されている。
嵌着体４は、ポリプロピレン樹脂を射出成形により形成したもので、図３から図５に示すように、平面視略Ｃ形に形成されており、開口部４０の端縁部分に左右一対の係合爪８が形成されているとともに、嵌着体４の背面側、すなわち嵌着体４の開口部４０とは反対側に連結部９が形成されている。
連結部９は、嵌着体４の背面側から外部に向かって短寸の有底円筒状に凸設されており、底部分の中央部には、連結具３を挿入可能な連通孔１０が貫通形成されている。連通孔１０は、嵌着体４の内部側に大径部１０１を備え、嵌着体４の外部側に小径部１０２を備えている。
上記嵌着体４の係合爪８は、図３に示すように、嵌着体４の開口部４０の端縁部分に、当該端縁部分から外向きに広がるように屈曲形成されている。係合爪８の根元部８ａには、図５に示すように、係合爪８の長手方向（図５上、上下方向）に沿って滑り止め用の凹凸部１１が形成されている。また、図４に示すように、係合爪８の長手方向両端部の角部は面取りがなされている。
嵌着体４は、その内径が支柱の外径と同一あるいはやや小径に形成されているとともに、開口部４０は、嵌着体４を弾性変形させて嵌着体４内に支柱を嵌着可能な大きさに開口している。
【００１３】
支柱保持部２ｂは、上述した支柱保持部２ａと略同一構造であるが、図１，図１０に示すように、嵌着体４の外周面に略三角形の板状の突片１２が突出形成されており、突片１２には貫通孔１３が設けられている。
【００１４】
装着具５は、支柱保持部２ａと同様に、ポリプロピレン樹脂を射出成形により形成したもので、図６から図８に示すように、平板状の本体部１５と、本体部１５の両側縁部分をＵ字状に折り曲げて形成された対向する一対の係合溝１６と、本体部１５に一体に形成される操作用の突起部１７とを備えている。
【００１５】
突起部１７は、図６，図８に示すように、本体部１５の中央部分に、幅方向に長く形成されており、突起部１７の幅方向中央部には貫通孔１８が設けられている。そして、図１０に示すように、支柱保持部２ａ，２ｂの貫通孔１３と装着具５の貫通孔１８とに亘って、それぞれテグス等の細糸ｔを挿通させて結び、装着具５に支柱保持部２ａ，２ｂを保持させている。
【００１６】
係合溝１６は、図６に示すように、係合爪８を係合可能になっており、一端側の溝幅Ｌ１は、係合爪８の幅方向長さＬ２よりも広く、他端側の溝幅Ｌ３は、係合爪８の幅方向長さＬ２よりも狭くなるように形成されている。そして、係合溝１６の全溝幅も、Ｌ１側からＬ３側に向かって連続的に減少するような、図７上、略「ハ」の字状のテーパ状となっている。
【００１７】
また、係合溝１６の両側縁部分には、図７に示すように、係合溝１６の溝方向に沿って滑り止め用の凹凸部１９が形成されている。
【００１８】
また、本体部１５の突起部１７が形成されている側の表面には、係合溝１６の溝幅の広い側（溝幅Ｌ１側）を矢印先端側とする矢印表示２０が表示されている。
【００１９】
連結具３は、図２に示すように、ステンレス鋼製のリベット２１と、ワッシャ２２とを備えて構成されている。リベット２１は、連通孔１０の小径部１０２に挿通可能な胴部２３と、胴部２３の軸方向一端側に形成される円板状の頭部２４と、他端側に形成される軸部２５とを備えている。頭部２４は、連通孔１０の大径部１０１に挿通可能な外径の円板状に形成されている。軸部２５は、外径が胴部２３よりも小径に形成されており、軸方向中央部に逆円錐状の凹部が形成されている。ワッシャ２２は、連通孔１０の大径部１０１に挿通可能で、中央部に軸部２５を挿通可能な透孔２７を有している。
【００２０】
ここで、連結具３を用いて支柱保持部２ａ，２ｂの嵌着体４，４同士を相対回動可能に連結する手順を説明する。
まず、嵌着体４，４の連結部９，９を突き合わせ、嵌着体４，４内の各連通孔１０，１０を連通させる。次に、一方の嵌着体４の開口部４０側からリベット２１を挿入し、リベット２１の頭部２４を連通孔１０の大径部１０１と小径部１０２との段差部分に当接させる。そして、他方の嵌着体４の開口部４０側からワッシャ２２を挿入し、透孔２７内に軸部２５を挿通させる。この状態で、軸部２５側からポンチ等により力を加え、支柱保持部２ａ，２ｂの連結部９，９を弾性圧縮させるとともに、軸部２５をワッシャ２２の透孔２７よりも大径に押し広げる。その結果、嵌着体４，４は、回転操作力を加えた時に相対回動可能な固さに締結される。
【００２１】
次に、本実施形態の支柱保持具１の使用例およびその取り付け手順について説明する。
支柱保持具１は、例えば、図１０，図１１に示すように、下端部を地中に埋めて垂直方向に立設させた支柱Ｐ1に、所定角度傾斜させた補強用の支柱Ｐ２，Ｐ３を交差させた状態に連結保持する。
【００２２】
支柱保持具１の各支柱への取り付け手順を説明すると、まず、複数本の支柱Ｐ１を、農作物の植えられている畝に平行して所定間隔あけて立設させる。次に、補強用の支柱Ｐ２，Ｐ３を、支柱Ｐ１が防風ネットＮの張力Ｆ１や防風ネットＮが受ける風圧Ｆ２によって倒れないように、支柱Ｐ１にかかる力と反対側から、支柱Ｐ１に対して所定角度傾斜させた状態で立設させる。そして、支柱保持具１を、支柱Ｐ１，Ｐ２あるいは支柱Ｐ１，Ｐ３との交差部分に取り付ける。
【００２３】
具体的には、まず、図９（ａ）に示すように、装着具５を嵌着体４から取り外した状態で、嵌着体４の開口部４０を支柱Ｐ（Ｐ１〜Ｐ３）の側面に対向配置させる。そして、嵌着体４の開口部４０の端縁部分を支柱Ｐ（Ｐ１〜Ｐ３）の側面部に強く押し当てて、嵌着体４の開口部４０の端縁部分を拡開方向に弾性変形させて、支柱Ｐ（Ｐ１〜Ｐ３）に嵌着体４を弾性嵌着させる。そして、図９（ｂ）に示すように、装着具５の係合溝１６の一端側（溝幅Ｌ１側）を係合爪８の一端側に装着し、矢印表示２０の方向にスライドさせ、嵌着体４の開口部４０を装着具５で閉塞する。他方の嵌着体４も、上記手順と同様にして、他方の支柱に取り付け、図１０に示すように、所定角度傾斜した状態で交差する支柱Ｐ（Ｐ１〜Ｐ３）を連結保持する。
【００２４】
最後に、支柱Ｐ１，Ｐ１・・・に防風ネットＮを取り付ける。
【００２５】
なお、支柱保持具１を各支柱から取り外す場合には、装着具５に形成された突片１２に、装着具５に表記された矢印表示２０と逆方向に力を加えれば、簡単に取り外すことができる。
【００２６】
以上のように、本実施形態の支柱保持具１は、係合溝１６が、溝幅Ｌ１側から溝幅Ｌ３側に向かって連続的に減少するテーパ状となっているので、装着具５をスライドさせるにともなって、係合溝１６が係合爪８を引き寄せ、嵌着体４の口径を縮径方向に変化させる。その結果、嵌着体４の嵌着体４が、支柱Ｐ（Ｐ１〜Ｐ３）の側面に圧接し、支柱Ｐ（Ｐ１〜Ｐ３）を強固に保持する。つまり、装着具５の係合溝１６を嵌着体４の係合爪８に装着し、スライドさせるという簡単な作業をするだけで、誰でも簡単かつ確実に、支柱保持部２ａ，２ｂを支柱Ｐ（Ｐ１〜Ｐ３）に取り付けることができる。
【００２７】
また、係合爪８の根元部分に凹凸部１１、係合溝１６の先端部分に凹凸部１９が形成されているので、支柱Ｐ（Ｐ１〜Ｐ３）に嵌着させた嵌着体４に装着具５を装着させると、係合爪８の凹凸部１１と係合溝１６の凹凸部１９とが摺接し、嵌着体４に対する装着具５の摩擦力が大きくなるため、装着具５が嵌着体４から脱落するのを効果的に防止できる。
【００２８】
また、装着具５の表面に矢印表示２０が表示されているので、装着具５の装着方向または取り外し方向を一目で確認できる。したがって、着脱作業をより効率よく行うことができる。
【００２９】
また、嵌着体４と装着具５の形状および組み付け構造がシンプルであるので、操作性がよい上、美観にも優れる。さらに、製造コストを抑えることができるという利点もある。
【００３０】
また、支柱保持部２ａ，２ｂは、それぞれ連結具３によって相対回動可能に連結されているので、支柱Ｐ（Ｐ１〜Ｐ３）の傾斜角度に関わらず、支柱保持具１を取り付けることができる。したがって、支柱Ｐ（Ｐ１〜Ｐ３）を直角に交差させた場合でも、平行に配置した場合でも取り付けることができるので、支柱同士の組み付け構造の自由度が高く、利便性に優れる。
【００３１】
また、装着具５，５を支柱保持部２ａ，２ｂにそれぞれ細糸で連結しているので、装着具５，５の紛失を防止できる。
【００３２】
なお、本実施の形態では、支柱保持部２ａ，２ｂおよび装着具５，５をポリプロピレン樹脂により形成したが、材質はこれに限られず、弾性変形可能な材質であればよく、例えば、ポリエチレン樹脂であってもよい。
【００３３】
また、本実施の形態は、装着具５を嵌着体４に装着し、装着具５を摺動することにより、嵌着体４をより強く支柱Ｐ（Ｐ１〜Ｐ３）に嵌着させる締め付け手段の一例であって、装着具５および嵌着体４の形状は、上記の形態に限られず、装着具５を装着し摺動させることによって嵌着体４が締め付けられる構成であれば構わない。
【００３４】
また、嵌着体４と装着具５に形成される凹凸部１１，１９は、必ずしも必要ではない。また、上記実施の形態にも限られず、装着具５が嵌着体４から抜け落ちるのを防止できる構成であればよい。したがって、例えば、嵌着体４と装着具５とのいずれか一方に凹凸部を形成してもよい。また、嵌着体４側に凹部を形成するとともに、装着具５側に凸部を形成し、装着具５が嵌着体４の所定の位置に配置されたときに、装着具５側の凸部が嵌着体４側の凹部に嵌りこむ構成としてもよい。
【００３５】
また、本実施形態では、本発明にかかる保持具の一例として、支柱に嵌着される２つの嵌着体４を連結具３によって相対回動可能に連結する構成としたが、嵌着体４の数は2つに限られず、嵌着体４の数は3個以上であってもよい。その場合は、各嵌着体４が、直接連結具３を介して連結する構成に限られず、図示しない基材に複数個の嵌着体４を連結具３によって相対回動可能に連結する構成としてもよい。
【００３６】
さらに、本実施形態では、本発明にかかる保持具の一例として、農業用支柱を保持する支柱保持具１について詳細に説明したが、保持具の保持対象は、金属製の農業用支柱に限定されるものではなく、棒状部材であれば構わない。棒状部材の材質は、金属製に限られず、例えば、木材、紙材であってもよいし、その形状は、円柱状または円筒状に限られず、多角形状であってもよい。
【００３７】
また、本実施形態では、所定間隔ごとに立設される支柱Ｐ１，Ｐ１・・・のうち、最も端の支柱Ｐ1に補強用の支柱Ｐ２，Ｐ３を連結したが、補強用の支柱Ｐ２，Ｐ３を連結する支柱はこれに限られず、他の場所に立設されている支柱Ｐ１であっても構わない。
【図面の簡単な説明】
【００３８】
【図１】本発明の一実施形態に係る支柱保持具１の外観図である。
【図２】図１のＸ−Ｘ線に沿う断面図である。
【図３】嵌着体４の平面図である。
【図４】図３にかかる正面図である。
【図５】図３にかかる側面図である。
【図６】装着具５の平面図である。
【図７】図６にかかる正面図である。
【図８】図６にかかる背面図である。
【図９】（ａ）嵌着体４を支柱に取り付ける手順を示す説明図である。ｂ)支柱に取り付けた嵌着体４に装着具５を装着しスライドさせる手順を示す説明図である。
【図１０】支柱保持具１の支柱への取り付け状態を拡大して示す説明図である。
【図１１】支柱保持具１の使用例を示す説明図である。
【符号の説明】
【００３９】
１    支柱保持具（保持具）
３    連結具
４    嵌着体
５    装着具
８    係合爪（係合部）
１６  係合溝（被係合部）
【図１】
2006067905.tif 000003
【図２】
2006067905.tif 000004
【図３】
2006067905.tif 000005
【図４】
2006067905.tif 000006
【図５】
2006067905.tif 000007
【図６】
2006067905.tif 000008
【図７】
2006067905.tif 000009
【図８】
2006067905.tif 000010
【図９】
2006067905.tif 000011
【図１０】
2006067905.tif 000012
【図１１】
2006067905.tif 000013